(57)【要約】【課題】所定の複数の操作を介し表板を取り外す構成により、悪戯による表板の逸失等により発生する運転障害を防ぐエレベーターの操作表示器具を得る。【解決手段】装着手段による表板３とケース１との係止を人為操作により解除し、突子４と保持溝穴６の掛合及び掛合子１１と掛合溝穴８の掛合により表板３をケース１の開口端２から離す操作、操作具１４による掛合子１１と掛合溝穴８との掛合解除操作及び取付板９をケース１内面に接して突子４と保持溝穴６の掛合を解除する操作により表板３をケース１から取り外す。これによって、単に表板３を引き抜く操作では表板３の取り外しを不能として、悪戯による表板３の取り外し行為を防ぎ自動運転エレベーターにおいて悪戯に起因する表板３の異常事態による障害発生を未然に防止する。【選択図】        図１
2004155555.tif 000002
【特許請求の範囲】
【請求項１】
ケースの開口部を覆って着脱自在に装備された表板と、上記ケース内面の一側に設けられて上記ケース内に突出した突子と、上記表板の裏面から上記ケース内方向に突設され、上記突子が空隙を形成して嵌合され長手が上記ケースの奥行き方向に配置されて上記表板による上記ケースの開口部の閉塞時に上記突子が上記表板寄りに配置され、上記表板が上記ケースの開口端から離れた位置に配置されたときに上記突子が上記ケースの奥側に配置される保持溝穴が設けられた保持板と、上記ケース内面の上記一側に対向した他側に設けられて上記ケース内に突設され、長手が上記ケースの奥行き方向に配置された掛合溝穴が装備された掛合板と、上記表板の裏面から上記ケース内方向に突設されて突出端が上記掛合板に対向し、かつ上記ケース内面との対向面が上記ケース内面に対して上記突子の突出寸法よりも長い寸法の間隔を形成して配置された取付板と、この取付板に一端が枢着された掛合金具と、この掛合金具の回動端に形成されて、上記掛合板の掛合溝穴に空隙を形成して嵌合されて上記表板による上記ケースの開口部の閉塞時に上記掛合溝穴の上記ケースの奥側に配置され、上記表板が上記ケースの開口端から離れた位置に配置されたときに上記掛合溝穴の上記表板寄りに配置される掛合子と、上記掛合金具に設けられて上記表板が上記ケースの開口端から離れた位置に配置されたときに操作されて、上記掛合金具の回動変位を介して上記掛合溝穴と上記掛合子との掛合を解消する操作具とを備えたエレベーターの操作表示器具。
【請求項２】
ケース内面から突設されて、掛合溝穴から外れた位置に配置された掛合金具の掛合子における上記ケースの奥側の面と対向する位置に設置された阻止体を備えたことを特徴とする請求項１記載のエレベーターの操作表示器具。
【発明の詳細な説明】
【０００１】
【発明の属する技術分野】
この発明は、乗場ボタン等であってケースが埋設状態に設置され、ケースの開口部に表板が装着される構造のエレベーターの操作表示器具に関する。
【０００２】
【従来の技術】
従来のエレベーターの操作表示器具においては、埋設状態に設けられたケースの開口部を覆って表板が配置される。そして、表板が取付ねじでケースに締結されたり、また表板の裏面に装備されたばね機構によって表板をケースに装着したりするような構成にしている。（例えば、特許文献１参照）。
【０００３】
【特許文献１】
特開平９−８６８１３号公報（請求項１、図２）
【０００４】
【発明が解決しようとする課題】
従来のエレベーターの操作表示器具では、表板がケースに締結されたり、またばね機構によって表板をケースに装着したりする構造であるので、容易にケースを取り外すことができる。このため、自動運転されるエレベーターにおいて、悪戯によって表板が取り外されて放棄されることがあり、このためにエレベーターが運転不能になるという問題点があった。
【０００５】
なお前述の特許文献１では、ばね機構によりケースに装着され表板を取り外すときの引き抜き力を増し、悪戯による表板の取り外し行為を防ぐようになっている。しかし、この場合は表板を取り外すときの引き抜き力が増加されているものの、単に引き抜く操作のみによって表板を取り外すことができるので、悪戯防止作用として不十分である。
【０００６】
この発明は、かかる問題点を解消するためになされたものであり、表板の装着手段による係止解除後に、所定の操作を介して表板を取り外す構造のエレベーターの操作表示器具を得ることを目的とする。
【０００７】
【課題を解決するための手段】
この発明に係るエレベーターの操作表示器具においては、ケースの開口部を覆って着脱自在に装備された表板と、ケース内面の一側に設けられてケース内に突出した突子と、表板の裏面からケース内方向に突設され、突子が空隙を形成して嵌合され長手がケースの奥行き方向に配置されて、表板によるケースの開口部の閉塞時に突子が表板寄りに配置され、表板がケースの開口端から離れた位置に配置されたときに突子がケースの奥側に配置される保持溝穴が設けられた保持板と、ケース内面の一側に対向した他側に設けられてケース内に突設され、長手がケースの奥行き方向に配置された掛合溝穴が装備された掛合板と、表板の裏面からケース内方向に突設されて突出端が掛合板に対向し、かつケース内面との対向面がケース内面に対して突子の突出寸法よりも長い寸法の間隔を形成して配置された取付板と、この取付板に一端が枢着された掛合金具と、この掛合金具の回動端に形成されて、掛合板の掛合溝穴に空隙を形成して嵌合され表板によるケースの開口部の閉塞時に掛合溝穴のケースの奥側に配置され、表板がケースの開口端から離れた位置に配置されたときに掛合溝穴の表板寄りに配置される掛合子と、掛合金具に設けられて表板がケースの開口端から離れた位置に配置されたときに操作されて、掛合金具の回動変位を介して掛合溝穴と掛合子との掛合を解消する操作具とが設けられる。
【０００８】
【発明の実施の形態】
実施の形態１．
図１〜図１２は、この発明の実施の形態の一例を示す図で、図１は縦断側面図、図２は図１のＡ−Ａ線断面図、図３は図１のＢ−Ｂ線断面図、図４は図１の表板の取り外し時の第一操作を説明する図１相当図、図５は図４に対応する図２相当図、図６は図４に対応する図３相当図、図７は図１の表板の取り外し時の第二操作を説明する図１相当図、図８は図７に対応する図２相当図、図９は図７に対応する図３相当図、図１０は図１の表板の取り外し時の第三操作を説明する図１相当図、図１１は図１０に対応する図２相当図、図１２は図１０に対応する図３相当図である。
【０００９】
図において、ケース１がエレベーター乗場の壁（図示しない）等に埋設状態に設けられ、ケース１の開口部２を覆って表板３が着脱自在に装備され、またケース１内面の一側に設けられてケース１内に突出した突子４が設けられる。そして、保持板５が表板３の裏面からケース１内方向に突設されてケース１幅に対して少ない空隙を形成して挿入される。また、保持板５に突子４が空隙を形成して嵌合され長手がケース１の奥行き方向に配置されて、表板３によるケース１の開口部２の閉塞時に突子４が表板３寄りに配置され、表板３がケース１の開口端から離れた位置に配置されたときに突子４がケース１の奥側に配置される保持溝穴６が設けられる。
【００１０】
また、掛合板７がケース１内面の一側に対向した他側に設けられてケース１内に突設される。そして、掛合板７に長手がケース１の奥行き方向に配置された掛合溝穴８が設けられる。また、取付板９が表板３の裏面からケース１内方向に突設されてケース１幅に対して少ない空隙を形成して挿入され、突出端が掛合板７に対向して配置され、かつケース１内面との対向面がケース１内面に対して突子４の突出寸法よりも長い寸法の図１に示す空隙Ｃを形成して配置される。
【００１１】
そして、取付板９の表板３寄りに一端が枢着された掛合金具１０が設けられる。また、鉤状をなす掛合子１１が掛合金具１０の回動端に設けられて、掛合板７の掛合溝穴８に空隙を形成して嵌合され、表板３によるケース１の開口部２の閉塞時に掛合溝穴８のケース１の奥側に配置され、表板３がケース１の開口端から離れた位置に配置されたときに掛合溝穴８の表板３寄りに配置される。
【００１２】
そして、掛合金具１０に挿通されて掛合金具１０の取付板９に対する枢着軸を形成した頭付きねじ１２及び頭付きねじ１２にねじ込まれて掛合金具１０の両面にそれぞれ配置されて頭付きねじ１２を掛合金具１０に固定的に締結するナット１３からなる操作具１４が設けられる。そして、表板３がケース１の開口端から離れた位置に配置されたときに操作具１４が操作されて、掛合金具１０が回動変位して掛合溝穴８と掛合子１１との掛合が解消される。
【００１３】
上記のように構成されたエレベーターの操作表示器具において、装着手段（図示しない）により表板３がケース１に装着された状態、すなわち表板３がケース１の開口部２を覆って配置された状態では、突子４が保持板５の保持溝穴６に空隙を形成して嵌合されて突子４が表板３寄りに配置される。また、掛合金具１０の掛合子１１が掛合板７の掛合溝穴８に空隙を形成して嵌合され、掛合溝穴８のケース１の奥側に配置される。また、取付板９と取付板９に対向したケース１内面の間に空隙Ｃが形成されて図１〜図３に示す状態となる。
【００１４】
また、表板３をケース１から取り外す場合には次に述べる所定の複数の操作が行われる。すなわち、装着手段による表板３とケース１との係止が人為操作によって解除されて、表板３がケース１の開口端から離れた位置に引き出されて図４〜図６に示す状態となる。そして、この状態では突子４が保持板５の保持溝穴６内においてケース１の奥側に配置され、掛合金具１０の掛合子１１が掛合溝穴８の表板３寄りに配置される。
【００１５】
次いで、取付板９の図４における上側から操作具１４の頭付きねじ１２が、図６における反時計方向に回動される。これによって、掛合金具１０の掛合子１１が掛合溝穴８から外れた位置に配置されて図７〜図９に示す状態となる。そして、表板３が図７において上方へ引き上げられて、取付板９とケース１内面の間に空隙Ｃが消失し、取付板９がケース１内面に接する位置に配置される。この状態では図１０〜図１２に示す状態となり、突子４と保持板５の保持溝穴６との掛合及び掛合金具１０の掛合子１１と掛合溝穴８との掛合が解消するので、図１０〜図１２に示す状態において保持板５、取付板９を引き出して表板３をケース１から取り外すことができる。
【００１６】
以上説明したように、表板３を取り外すときに表板３、操作具１４等に関わる所定の複数の操作が必要である。したがって、単に表板３を引き抜く操作のみによって表板３を取り外すことができず、悪戯による表板の取り外し行為を防ぐことができる。このため、自動運転されるエレベーターにおいて悪戯によって表板が取り外されて放棄されること等のためにエレベーターが運転不能になる不祥事の発生を未然に防止することができる。
【００１７】
実施の形態２．
図１３及び図１４は、この発明の他の実施の形態の一例を示す図で、図１３は前述の図３相当図、図１４は前述の図１２相当図である。なお、図１３及び図１４の他は前述の図１〜図１２と同様にエレベーターの操作表示器具が構成されている。図において、図１〜図１２と同符号は相当部分を示し、ピン状の阻止体１５がケース１内面から突設されて、掛合溝穴８から外れた位置に配置された掛合金具１０の掛合子１１のケース１の奥側の面と対向する位置に配置される。
【００１８】
上記のように構成されたエレベーターの操作表示器具においても、前述の図１〜図１２の実施の形態と同様に表板３を取り外すときに表板３、操作具１４等に関わる所定の複数の操作が必要である。したがって、詳細な説明を省略するが図１３及び図１４の実施の形態においても図１〜図１２の実施の形態と同様な作用が得られる。
【００１９】
また、図１３及び図１４の実施の形態において掛合金具１０の掛合子１１が掛合溝穴８から外れた位置に配置された状態では、図１４に示すように掛合子１１が阻止体１５に当たって表板３をケース１の開口部２に接する位置に押し込み不能になる。そして、図１４に示す状態から操作具１４を回動して掛合子１１を掛合溝穴８に嵌合させることによって、掛合子１１が阻止体１５に対向する位置から外れる。これにより、図１５に示すように表板３をケース１の開口部２に接する位置に押し込むことができる。
【００２０】
このような阻止体１５が設けてあるので表板３をケース１に装着するときに、操作具１４を回動して掛合子１１を掛合溝穴８に嵌合させる操作を失念することを防止することができる。このため、掛合子１１を掛合溝穴８に嵌合することを忘れたために、容易に表板３の取り外しができて悪戯によってエレベーターが運転不能になる不祥事の発生を未然に防止することができる。
【００２１】
【発明の効果】
この発明は以上説明したように、ケースの開口部を覆って着脱自在に装備された表板と、ケース内面の一側に設けられてケース内に突出した突子と、表板の裏面からケース内方向に突設され、突子が空隙を形成して嵌合され長手がケースの奥行き方向に配置されて表板によるケース開口部の閉塞時に突子が表板寄りに配置され、表板がケース開口端から離れた位置に配置されたときに突子がケースの奥側に配置される保持溝穴が設けられた保持板と、ケース内面の一側に対向した他側に設けられてケース内に突設され、長手がケースの奥行き方向に配置された掛合溝穴が装備された掛合板と、表板の裏面からケース内方向に突設されて突出端が掛合板に対向し、かつケース内面との対向面がケース内面に対して突子の突出寸法よりも長い寸法の間隔を形成して配置された取付板と、この取付板に一端が枢着された掛合金具と、この掛合金具の回動端に形成されて、掛合板の掛合溝穴に空隙を形成して嵌合されて表板によるケース開口部の閉塞時に掛合溝穴のケースの奥側に配置され、表板がケース開口端から離れた位置に配置されたときに掛合溝穴の表板寄りに配置される掛合子と、掛合金具に設けられて表板がケースの開口端から離れた位置に配置されたときに操作されて、掛合金具の回動変位を介して掛合溝穴と掛合子との掛合を解消する操作具とを設けたものである。
【００２２】
これによって、装着手段による表板とケースとの係止を人為操作によって解除し、突子と保持板の保持溝穴との掛合及び掛合金具の掛合子と掛合溝穴との掛合により表板をケースの開口端から離れた位置に引き出す操作、操作具による掛合金具の掛合子と掛合溝穴との掛合解除操作及び表板を介して取付板をケース内面に接する方向へ移動し突子と保持板の保持溝穴との掛合解除操作、すなわち表板、操作具等に関わる所定の複数の操作を介して表板を取り外すことができる。したがって、単に表板を引き抜く操作のみによって表板を取り外すことができず、悪戯による表板の取り外し行為を防ぐことができる。このため、自動運転されるエレベーターにおいて悪戯によって表板が取り外されて放棄されること等のためにエレベーターが運転不能になる不祥事の発生を未然に防止する効果がある。
【図面の簡単な説明】
【図１】この発明の実施の形態１を示す縦断側面図。
【図２】図１のＡ−Ａ線断面図。
【図３】図１のＢ−Ｂ線断面図。
【図４】図１の表板の取り外し時の第一操作を説明する図１相当図。
【図５】図４に対応する図２相当図。
【図６】図４に対応する図３相当図。
【図７】図１の表板の取り外し時の第二操作を説明する図１相当図。
【図８】図７に対応する図２相当図。
【図９】図７に対応する図３相当図。
【図１０】図１の表板の取り外し時の第三操作を説明する図１相当図。
【図１１】図１０に対応する図２相当図。
【図１２】図１０に対応する図３相当図。
【図１３】この発明の実施の形態２を示す図で、前述の図３相当図。
【図１４】図１３に対応する前述の図１２相当図。
【符号の説明】
１  ケース、    ２  開口部、    ３  表板、    ４  突子、    ５  保持板、    ６  保持溝穴、    ７  掛合板、    ８  掛合溝穴、    ９  取付板、  １０  掛合金具、    １１  掛合子、    １４  操作具、    １５  阻止体。
【図１】
2004155555.tif 000003
【図２】
2004155555.tif 000004
【図３】
2004155555.tif 000005
【図４】
2004155555.tif 000006
【図５】
2004155555.tif 000007
【図６】
2004155555.tif 000008
【図７】
2004155555.tif 000009
【図８】
2004155555.tif 000010
【図９】
2004155555.tif 000011
【図１０】
2004155555.tif 000012
【図１１】
2004155555.tif 000013
【図１２】
2004155555.tif 000014
【図１３】
2004155555.tif 000015
【図１４】
2004155555.tif 000016